(57)【要約】【課題】美粧性を保ちながらレンズユニットの装着が可能なデジタルカメラを提供する。【解決手段】デジタルカメラシステムはデジタルカメラ３とレンズ鏡筒ユニットとから構成され、レンズ鏡筒ユニットはユーザによって選択的にデジタルカメラ３に装着される。デジタルカメラ３には撮影レンズ１２、第１ＣＣＤイメージセンサ４０等が備えられ、撮影レンズ１２からの被写体光が第１ＣＣＤイメージセンサ４０で電気信号に変換されて画像データが形成される。レンズ開口４ａの周囲には化粧リング１５が着脱自在に取り付けられている。化粧リング１５は装着解除ボタン２１の押圧に応じて取り外すことができ、化粧リング１５が取り外されると、カメラボディ側マウント部２３が露呈する。カメラボディ側マウント部２３に、レンズ鏡筒ユニットを装着することでレンズ鏡筒ユニットのレンズ、ＣＣＤイメージセンサを利用して撮影することができる。【選択図】図１
2007295091.tif 000002
【特許請求の範囲】
【請求項１】
第１撮影レンズと、第１イメージセンサと、前記第１撮影レンズ及び前記第１イメージセンサとは別の第２撮影レンズ及び第２イメージセンサを内蔵するレンズユニットが着脱自在に装着されるカメラボディ側マウント部とを備え、
前記第１または前記第２撮影レンズからの被写体光を、対応する前記第１または前記第２イメージセンサで画像信号に変換し、この画像信号を基に形成された画像データを記録するデジタルカメラにおいて、
前記カメラボディ側マウント部は、前記第１撮影レンズを露呈させるレンズ開口の周囲に形成されており、
前記カメラボディ側マウント部を覆う枠状に形成され、カメラボディに着脱自在に装着されるカバー部材を設けたことを特徴とするデジタルカメラ。
【請求項２】
第１撮影レンズと、第１イメージセンサと、前記第１撮影レンズ及び前記第１イメージセンサとは別の第２撮影レンズ及び第２イメージセンサを内蔵するレンズユニットが着脱自在に装着されるカメラボディ側マウント部とを備え、
前記第１または前記第２撮影レンズからの被写体光を、対応する前記第１または前記第２イメージセンサで画像信号に変換し、この画像信号を基に形成された画像データを記録するデジタルカメラにおいて、
内周に前記カメラボディ側マウント部を有し、カメラボディに取り付けられた固定筒と、
前記第１撮影レンズを保持し、前記第１撮影レンズの光軸方向に沿って進退移動自在に前記固定筒の内部に取り付けられ、前記カメラボディ側マウント部に合わせた位置に前記光軸方向に沿って延びるスロットが形成され、前記スロット内に前記マウント部が位置する初期位置と、この初期位置から前記カメラボディ内へ沈胴して前記カメラボディ側マウント部を露呈させる沈胴位置との間で移動する移動筒とを備えたことを特徴とするデジタルカメラ。
【請求項３】
請求項１または２記載のデジタルカメラと、前記レンズユニットとからなることを特徴とするデジタルカメラシステム。
【請求項４】
前記レンズユニット及び前記デジタルカメラに設けられ、前記レンズユニットが前記デジタルカメラに装着されるときに互いに接触し、前記レンズユニットと前記デジタルカメラとを電気的に接続させる接点部を設けたことを特徴とする請求項３記載のデジタルカメラシステム。
【請求項５】
前記レンズユニットが着脱自在に装着されるレンズユニット用マウント部と、前記カメラボディ側マウント部と着脱自在に結合するカメラボディ用マウント部とを備えたアダプタを有することを特徴とする請求項３または４記載のデジタルカメラシステム。
【請求項６】
前記レンズユニット用マウント部に、前記レンズユニットが装着されたときに前記接点部に接触して前記レンズユニットに電気的に接続される第１中継接点部を設け、
前記カメラボディ用マウント部に、前記カメラボディ側マウント部に結合したときに前記接点部に接触して前記レンズユニットを前記デジタルカメラに電気的に接続させる第２中継接点部を設けたことを特徴とする請求項５記載のデジタルカメラシステム。
【請求項７】
請求項１ないし請求項６いずれか１つ記載のデジタルカメラシステムを制御するデジタルカメラの制御プログラムであって、
前記レンズユニットの装着を検知する検知処理と、
前記レンズユニットが装着されたときに、前記第１イメージセンサの駆動を停止して前記第２イメージセンサの駆動を開始する駆動切替処理とを行うことを特徴とするデジタルカメラの制御プログラム。
【発明の詳細な説明】
【技術分野】
【０００１】
本発明は、レンズユニットを選択的に装着可能なデジタルカメラ、デジタルカメラシステム及びデジタルカメラの制御プログラムに関するものである。
【背景技術】
【０００２】
従来より、撮影レンズからの被写体光をイメージセンサによって電気信号に変換し、電気信号を処理して形成された画像データをメモリカード等の記録媒体に記録するデジタルカメラが知られている。
【０００３】
近年ではイメージセンサの小型化、低価格化が進んできていることから、レンズ鏡筒内にイメージセンサを備えたレンズユニットと、このレンズユニットを着脱自在に装着するカメラボディとからなるデジタルカメラが検討されている（例えば特許文献１）。デジタルカメラにはマウント部が設けられており、デジタルカメラはこのマウント部に装着されたレンズユニットから伝送される画像データを処理して記録媒体に画像データを記録していた。このような構成にすることで、複数のレンズユニットを使い分けることが可能となっていた。
【０００４】
一方、レンズユニットがデジタルカメラから取り外された状態からでも迅速に被写体を撮影できるようにするため、デジタルカメラにも撮影レンズとイメージセンサとを備えたデジタルカメラも検討されている。このようなデジタルカメラでは、レンズユニットの非装着時でも被写体の撮影が可能となっていた。
【特許文献１】特開平８−１７２５６１号公報
【発明の開示】
【発明が解決しようとする課題】
【０００５】
しかしながら、上記のようなデジタルカメラでは、レンズユニットをデジタルカメラに装着せず、カメラボディに内蔵された撮影レンズやイメージセンサで被写体を撮影する場合、レンズユニットを装着するためにデジタルカメラに設けられたマウント部の爪や開口部などが外部に露呈し、このためデジタルカメラのデザインに統一感がなくなり、デジタルカメラの外観を損ねてしまうことがあった。
【０００６】
本発明は上記の事情に鑑みてなされたものであり、その目的は、デジタルカメラの美観を向上しつつ、レンズユニットを必要に応じて選択的にデジタルカメラに装着できるデジタルカメラ、デジタルカメラシステム及びデジタルカメラの制御プログラムを提供することにある。
【課題を解決するための手段】
【０００７】
上記の目的を達成するために、本発明のデジタルカメラでは、第１撮影レンズと、第１イメージセンサと、第１撮影レンズ及び第１イメージセンサとは別の第２撮影レンズ及び第２イメージセンサを内蔵するレンズユニットが着脱自在に装着されるカメラボディ側マウント部とを備え、第１または前記第２撮影レンズからの被写体光を、対応する第１または第２イメージセンサで画像信号に変換し、この画像信号を基に形成された画像データを記録するデジタルカメラにおいて、カメラボディ側マウント部は、第１撮影レンズを露呈させるレンズ開口の周囲に形成されており、カメラボディ側マウント部を覆う枠状に形成され、カメラボディに着脱自在に装着されるカバー部材を設けたことを特徴とする。
【０００８】
また、第１撮影レンズと、第１イメージセンサと、第１撮影レンズ及び第１イメージセンサとは別の第２撮影レンズ及び第２イメージセンサを内蔵するレンズユニットが着脱自在に装着されるカメラボディ側マウント部とを備え、第１または第２撮影レンズからの被写体光を、対応する第１または第２イメージセンサで画像信号に変換し、この画像信号を基に形成された画像データを記録するデジタルカメラにおいて、内周にカメラボディ側マウント部を有し、カメラボディに取り付けられた固定筒と、第１撮影レンズを保持し、第１撮影レンズの光軸方向に沿って進退移動自在に固定筒の内部に取り付けられ、カメラボディ側マウント部に合わせた位置に光軸方向に沿って延びるスロットが形成され、スロット内に前記マウント部が位置する初期位置と、この初期位置から前記カメラボディ内へ沈胴してカメラボディ側マウント部を露呈させる沈胴位置との間で移動する移動筒とを備えたことを特徴とする。
【０００９】
また、本発明のデジタルカメラシステムでは、第１撮影レンズ及び第１イメージセンサを備えた上記のデジタルカメラと、第２撮影レンズ及び第２イメージセンサを内蔵し、デジタルカメラに着脱自在に装着されるレンズユニットとからなることを特徴とする。
【００１０】
また、レンズユニット及びデジタルカメラに設けられ、レンズユニットがデジタルカメラに装着されるときに互いに接触し、レンズユニットと前記デジタルカメラとを電気的に接続させる接点部を設けたことを特徴とする。
【００１１】
また、レンズユニットが着脱自在に装着されるレンズレンズユニット用マウント部と、カメラボディ側マウント部と着脱自在に結合するカメラボディ用マウント部とを備えたアダプタを有することを特徴とする。
【００１２】
また、レンズレンズユニット用マウント部に、レンズユニットが装着されたときに接点部に接触してレンズユニットに電気的に接続される第１中継接点部を設け、カメラボディ用マウント部に、カメラボディ側マウント部に結合したときに接点部に接触して前記レンズユニットをデジタルカメラに電気的に接続させる第２中継接点部を設けたことを特徴とする。
【００１３】
また、本発明のデジタルカメラの制御プログラムでは、レンズユニットの装着を検知する検知処理と、レンズユニットが装着されたときに、第１イメージセンサの駆動を停止して第２イメージセンサの駆動を開始する駆動切替処理とを行うことを特徴とする。
【発明の効果】
【００１４】
本発明のデジタルカメラによれば、第１撮影レンズと、第１イメージセンサと、第１撮影レンズ及び第１イメージセンサとは別の第２撮影レンズ及び第２イメージセンサを内蔵するレンズユニットが着脱自在に装着されるカメラボディ側マウント部とを備え、第１または前記第２撮影レンズからの被写体光を、対応する第１または第２イメージセンサで画像信号に変換し、この画像信号を基に形成された画像データを記録するデジタルカメラにおいて、カメラボディ側マウント部は、第１撮影レンズを露呈させるレンズ開口の周囲に形成されており、カメラボディ側マウント部を覆う枠状に形成され、カメラボディに着脱自在に装着されるカバー部材を設けたことにより、レンズユニットを装着しないときはカメラボディ側マウント部がカバー部材によって覆われ、美粧性の高いデジタルカメラを提供することができる。
【００１５】
また、第１撮影レンズと、第１イメージセンサと、第１撮影レンズ及び第１イメージセンサとは別の第２撮影レンズ及び第２イメージセンサを内蔵するレンズユニットが着脱自在に装着されるカメラボディ側マウント部とを備え、第１または第２撮影レンズからの被写体光を、対応する第１または第２イメージセンサで画像信号に変換し、この画像信号を基に形成された画像データを記録するデジタルカメラにおいて、内周にカメラボディ側マウント部を有し、カメラボディに取り付けられた固定筒と、第１撮影レンズを保持し、第１撮影レンズの光軸方向に沿って進退移動自在に固定筒の内部に取り付けられ、カメラボディ側マウント部に合わせた位置に光軸方向に沿って延びるスロットが形成され、スロット内に前記マウント部が位置する初期位置と、この初期位置から前記カメラボディ内へ沈胴してカメラボディ側マウント部を露呈させる沈胴位置との間で移動する移動筒とを備えたことにより、レンズユニットを装着するときに、移動筒を後退させてカメラボディ側マウント部が露呈されるため、美粧性の高いデジタルカメラを提供することができる。
【００１６】
また、本発明のデジタルカメラシステムによれば、第１撮影レンズ及び第１イメージセンサを備えた上記のデジタルカメラと、第２撮影レンズ及び第２イメージセンサを内蔵し、デジタルカメラに着脱自在に装着されるレンズユニットとから構成したことで、
レンズユニットを装着しないときはカメラボディ側マウント部が隠れ、レンズユニットを装着するときにカメラボディ側マウント部が外部に露呈されるため、デジタルカメラの美粧性を高めながら、利便性を高めることができる。
【００１７】
また、レンズユニット及びデジタルカメラに設けられ、レンズユニットがデジタルカメラに装着されるときに互いに接触し、レンズユニットと前記デジタルカメラとを電気的に接続させる接点部を設けたことにより、レンズ鏡筒をデジタルカメラに装着した際に同時にレンズ鏡筒がデジタルカメラに接続されるため、利便性を高めることができる。
【００１８】
また、レンズユニットが着脱自在に装着されるレンズレンズユニット用マウント部と、カメラボディ側マウント部と着脱自在に結合するカメラボディ用マウント部とを備えたアダプタを有することにより、鏡筒側マウント部とカメラボディ側マウント部との規格が異なる場合に、アダプタを介してレンズユニットをデジタルカメラに電気的に接続させることができる。
【００１９】
また、レンズレンズユニット用マウント部に、レンズユニットが装着されたときに接点部に接触してレンズユニットに電気的に接続される第１中継接点部を設け、カメラボディ用マウント部に、カメラボディ側マウント部に結合したときに接点部に接触して前記レンズユニットをデジタルカメラに電気的に接続させる第２中継接点部を設けたことにより、レンズユニットがデジタルカメラに装着されたときにレンズユニットとデジタルカメラとが接続される。
【００２０】
また、本発明の制御プログラムによれば、レンズユニットの装着を検知する検知処理と、レンズユニットが装着されたときに、第１イメージセンサの駆動を停止して第２イメージセンサの駆動を開始する駆動切替処理とを行うことにより、デジタルカメラを効率良く作動させることができ、デジタルカメラシステムの消費電力を低減することができる。
【発明を実施するための最良の形態】
【００２１】
本発明のデジタルカメラシステムの第１実施形態について図１を用いて説明する。図１（ａ）に示すように、デジタルカメラであるデジタルカメラ３の上部には、デジタルカメラ３のモードを静止画撮影モード、再生モード、交換レンズ使用撮影モードなどに切り替えるときに回動操作されるモードダイヤル５、撮影ボタン９等が設けられている。
【００２２】
デジタルカメラ３の前面には、第１撮影レンズ１２、化粧リング１５、ファインダ対物窓１７、グリップ１９等が設けられている。第１撮影レンズ１２は、カメラボディ４に設けられたレンズ開口４ａから露呈し、その上方にファインダ対物窓１７が配置されている。化粧リング１５は、その内周１５ａがレンズ開口４ａを囲むように、カメラボディ４に着脱自在に装着されている。
【００２３】
図示は省略するが、デジタルカメラ３の背面には、被写体のスルー画像やメニュー画像を表示する液晶パネル５５（図３参照）、液晶パネル５５のメニュー画面の表示や確認時に押される実行ボタン等が備えられている。モードダイヤル５が静止画撮影モードに合わせられたときには、液晶パネルに被写体画像が一定期間ごとに更新されるスルー画像が表示される。
【００２４】
化粧リング１５の横に設けられた装着解除ボタン２１が押されたとき、化粧リング１５がカメラボディ４から分離される。図示は省略するが、デジタルカメラ２の内部には化粧リング１５を保持するためのロック機構が備えられており、ロック機構は、化粧リング１５に掛かる係止位置と化粧リング１５に掛からないように係止位置から退避した退避位置との間で移動自在な係止爪を供えている。装着解除ボタン２１が押されると上記の係止爪が係止位置から退避位置に移動して化粧リング１５が外れるようになっている。レンズ開口４ａの周囲には後述するレンズ鏡筒ユニット（レンズユニット）を装着するためのカメラボディ側マウント部２３が形成されており、カメラボディ側マウント部２３はデジタルカメラ３に装着された化粧リング１５によって覆われる。カメラボディ側マウント部２３は、化粧リング１５がデジタルカメラ３から取り外されたときに外部に露呈し、レンズ鏡筒ユニットの装着が可能となる。なお、図示しないが、デジタルカメラ３の側部には、ＵＳＢポートや記録媒体の差し込み開口等が備えられている。
【００２５】
図２（ａ）に示すように、本発明のデジタルカメラシステム２は上述のデジタルカメラ２とレンズ鏡筒ユニット２５とから構成される。レンズ鏡筒ユニット２５は、鏡筒本体２７、第２撮影レンズ２９等から構成され、第２撮影レンズ２９の像面側には後述するＣＣＤイメージセンサが備えられている。レンズ鏡筒２５の一方の端部には、カメラボディ側マウント部２３に嵌め込まれる鏡筒側マウント部３１が形成されている。鏡筒側マウント部３１は３つのバヨネット爪３１ａを有し、バヨネット爪３１ａには電気信号を送受信するための接点部である接続端子９７（図３参照）が設けられている。
【００２６】
カメラボディ側マウント部２３は、バヨネット爪３１ａを受け入れてロックするための嵌合開口２３ａがバヨネット爪３１ａの配置に合わせて設けられ、嵌合開口２５には受け入れたバヨネット爪３１ａを１２の光軸周りに所定の角度だけ回動できるようにスロット２３ｂが形成されている。カメラボディ側マウント部２３にはバヨネット爪がスロット２３ｂに入り込んだときに係合する係合部２３ｃが形成され、図示は省略するが係合部２３ｃの裏側にはバヨネット爪３１ａに設けられた接続端子９７に接触する接触端子（接点部）７５（図３参照）が設けられている。嵌合開口２３ａに突入したバヨネット爪３１ａがスロット２３ａに沿って時計回りに移動することにより、バヨネット爪３１ａがカメラボディ側マウント部２３に係着し、バヨネット爪３１ａの接続端子が係合部２３ｃの接触端子に接触し、電気的に接続された状態となる。図２（ｂ）に示すように、レンズ鏡筒ユニット２５がデジタルカメラ３に装着されると、接続端子９７と接触端子７５とが接触してデータの送受信が可能となる。なお、レンズ鏡筒ユニット２５をデジタルカメラ３から取り外すときは、レンズ鏡筒ユニット２５を正面から見て反時計周りに回動させることで取り外すことができる。
【００２７】
図３に示すように、デジタルカメラ３には、第１ＣＣＤイメージセンサ４０、ＣＣＤドライバ４２、アナログ処理回路４３、制御手段である中央制御部４５、ＲＯＭ４７、モータドライバ４９、ＳＤＲＡＭ５０、メディアコントローラ５２、ストロボ制御回路５３、ＬＣＤドライバ５４、デジタル処理回路５７、圧縮処理回路、シリアルドライバ６５、通信制御回路６７、検知手段であるマウント検知回路７０、バッテリ制御回路７２等が備えられている。
【００２８】
被写体光を光電変換によって電気的な画素信号に変換する第１ＣＣＤイメージセンサ４０は、ＣＣＤドライバ４２から供給される駆動パルスによって駆動が制御されている。アナログ信号処理回路４３には、相関二重サンプリング回路、増幅回路、Ａ／Ｄ変換回路等が含まれている。相関二重サンプリング回路で画素信号は第１ＣＣＤイメージセンサ４０のセルごとのＲＧＢアナログ信号に変換され、ＲＧＢアナログ信号は増幅回路で増幅される。ＲＧＢアナログ信号はＡ／Ｄ変換回路でデジタル化されて１画素当たり１２ビットのＲＡＷデータが形成される。形成されたＲＡＷデータは、ＳＤＲＡＭ５０及びＬＣＤドライバ５４に伝送される。
【００２９】
デジタル処理回路５７では、撮影ボタン９の押圧時、ＳＤＲＡＭ５０から読み出された１画面分のＲＡＷデータが圧縮処理されて１画素当たり８ビットの輝度色差データ（以降、ＹＣデータという）が形成される。形成されたＹＣデータは、所定の圧縮形式に従って圧縮された画像データに変換された後メディアコントローラ５２に伝送される。メディアコントローラ５２は記録メディア５１にアクセスして画像データを記録する。
【００３０】
ＲＯＭ４７は、例えば不揮発性のフラッシュメモリで構成され、デジタルカメラ３を制御するための各種プログラムを格納しており、中央制御部４５は適宜ＲＯＭ４７から適当なプログラムを読み出して実行する。なお、中央制御部４５はその他にも記録メディア５１に画像データを書き込むメディアコントローラ５２の制御、液晶パネルの駆動を制御するＬＣＤドライバ５４の管制等も行っている。
【００３１】
ＬＣＤドライバ５４は、液晶パネル５５に画像を表示する。例えば、モードダイヤル５が撮影モードにセットされているときには、被写体画像が所定のフレームレートで間欠的に更新されるスルー画像を液晶パネル５５に表示させる。
【００３２】
マウント検知回路７０は、レンズ鏡筒ユニット２５が装着されているときにこれを検知する。レンズ鏡筒ユニット２５がデジタルカメラ３に装着されると、カメラボディ側マウント部２３に設けられた接触端子７５、及びレンズ鏡筒ユニット２５に設けられた接続端子９７を介してレンズ鏡筒ユニット２５とデジタルカメラ３との間で電気信号がやりとりされる。レンズ鏡筒ユニット２５に内蔵されたＣＰＵ８１はデジタルカメラ３からの検知信号を受けて応答信号をデジタルカメラ３側に送信し、マウント検知回路７０はレンズ鏡筒ユニット２５からの応答信号を受けてレンズ鏡筒ユニット２５がカメラボディ側マウント部２３に装着されていることを検知する。
【００３３】
通信制御回路６７は、マウント検知回路７０からのマウント検知信号に応じてシリアルドライバ６５をオンし、マウント検知回路７０によってレンズ鏡筒ユニット２５のマウントが検知されていないときは、シリアルドライバ６５をオフする。
【００３４】
中央制御部４５は、レンズ鏡筒ユニット２５がカメラボディ４に装着されたとき、後述するレンズ鏡筒ユニット２５のＲＯＭから、レンズ鏡筒ユニット２５の型式、シリアルナンバーデータ等を読み出す。読み出されたデータはＳＤＲＡＭ５０に書き込まれてレンズ鏡筒ユニット２５の形式、シリアルナンバー等が登録される。これによって複数のレンズ鏡筒ユニット２５を使い分けることが可能となっている。
【００３５】
一方、中央制御部４５は、ＲＯＭ４７から読み出された制御プログラムを基に、レンズ鏡筒ユニット２５の装着を検知する検知処理と、第１、第２ＣＣＤイメージセンサ４０、８０の駆動を切替制御する駆動切替処理とを行う。レンズ鏡筒ユニットの非装着時は第１ＣＣＤイメージセンサ４０が駆動しており、マウント検知回路７０からのマウント検知信号を受けた場合は、ＣＣＤドライバ４２、アナログ処理回路４３、デジタル処理回路４４等の駆動を禁止して第１ＣＣＤイメージセンサ４０の駆動を停止させ、レンズ鏡筒ユニット２５に備えられた第２ＣＣＤイメージセンサ８０を駆動させる。
【００３６】
中央制御部４５がレンズ鏡筒ユニット２５の制御を開始すると、レンズ鏡筒ユニット２５からの画像データがＳＤＲＡＭ５０に一時的に記録される。ＳＤＲＡＭ５０に一時的に記憶された画像データは、撮影ボタン９の押圧に応じて、例えばＪＰＥＧ形式など所定のファイル形式に圧縮されて記録メディア５１に記録される。なお、撮影ボタン９の非押圧時は、画像データはＳＤＲＡＭ５０からＬＣＤドライバ５４に入力され、液晶パネル５５に被写体のスルー画像が表示される。
【００３７】
メディアコントローラ５２は、メモリカードなどの記録メディア５１にアクセスして、画像データの書き込み等を制御する。メディアコントローラ５２は、中央制御部４５からの書き込みコマンド信号を受けて、画像データを記録メディア５１に書き込む。また、モードダイヤル５が再生モードに合わせられているとき、中央制御部４５からの読み出しコマンド信号を受けて、画像データを記録メディア５１から読み出す。
【００３８】
レンズ鏡筒ユニット２５には、第２イメージセンサである第２ＣＣＤイメージセンサ８０、ＣＰＵ８１、モータドライバ８２、アナログ信号処理回路８５、タイミングジェネレータ（ＴＧと省略する）８７、ＳＤＲＡＭ８９、デジタル処理回路９１、シリアルドライバ９３、ＲＯＭ９５、接続端子９７等が設けられている。
【００３９】
第２撮影レンズ２９は、例えば４群構成の撮影光学系のうち最も被写体側に位置したレンズであり、撮影光学系は、ズームレンズＧ１やフォーカスレンズＧ２を有している。
【００４０】
撮影光学系からの被写体光を光電変換して電気的な画素信号に変換する第２ＣＣＤイメージセンサ８０は、ＴＧ８７から供給される駆動パルスによって駆動が制御されている。アナログ信号処理回路８５には、相関二重サンプリング回路、増幅8回路、Ａ／Ｄ変換回路等が含まれている。相関二重サンプリング回路で画素信号は第２ＣＣＤイメージセンサ８０のセルごとのＲＧＢアナログ信号に変換され、ＲＧＢアナログ信号は増幅回路で増幅される。ＲＧＢアナログ信号はＡ／Ｄ変換回路でデジタル化されて１画素当たり１２ビットのＲＡＷデータが形成される。形成されたＲＡＷデータはＳＤＲＡＭ８９に一時的に格納される。
【００４１】
デジタル処理回路９１では、ＳＤＲＡＭ８９から読み出された１画面分のＲＡＷデータが圧縮処理されて１画素当たり８ビットの輝度色差データ（以降、ＹＣデータという）が形成される。形成されたＹＣデータはＳＤＡＲＭ８９に一時的に記憶される。
【００４２】
シリアルドライバ９３は、レンズ鏡筒ユニット２５がカメラボディ４にマウントされているときに、接続端子９７を介して行われるデータ通信を制御し、ＳＤＲＡＭ２４に格納されたＹＣデータをデジタルカメラ３側に送信する。
【００４３】
ＲＯＭ９５は、例えば、不揮発性のメモリであるＥＥＰＲＯＭ（Electrically Erasable Programmable ROM）で構成され、レンズ鏡筒ユニット２５の型式を示す形式データ、各レンズ鏡筒ユニット２５に割り当てられるシリアルナンバーを示すシリアルナンバーデータ、レンズ鏡筒ユニットのスペックデータ、各種プログラム等が記憶されており、これらの情報はデジタルカメラ３に装着された際にデジタルカメラ３側に読み出される。
【００４４】
ＣＰＵ８１は、レンズ鏡筒ユニット２５全体を統括制御している。例えば、ＣＰＵ８１は、デジタルカメラ３側からの広角移行信号や望遠移行信号を受けてモータドライバ８２にコマンド信号を送信し、モータドライバ８２は広角移行信号や望遠移行信号を受けてズームレンズＧ１やフォーカスレンズＧ２を光軸方向で移動させる。なお、図中のＭはモータを示す。
【００４５】
本発明の作用について図４のフローチャートを用いて説明する。デジタルカメラの第１撮影レンズ１２の周囲は化粧リング１５によって覆われ、デジタルカメラ３から化粧リング１５が外されると、カメラボディ側マウント部２３が露呈する。これにより、カメラボディ側マウント部２３にハイスペックなレンズ鏡筒ユニット２５を装着できるようになる。モードダイヤル５が交換レンズ使用撮影モードに合わせられてカメラボディ側マウント部２３にレンズ鏡筒ユニット２５が装着されると、第１ＣＣＤイメージセンサ４０の駆動が停止し、双方のシリアルドライバが起動して通信回線が確立される。デジタルカメラ３では、通信回線を経由してレンズ鏡筒ユニット２５側から伝送される画像データが処理されており、撮影ボタン９の押圧に応答して記録メディア５２に所定の形式で画像データが記録される。
【００４６】
なお、上記の実施形態では、化粧リング１５を取り外して露呈したカメラボディ側マウント部２３にレンズ鏡筒ユニット２５を装着したが、本発明はこれに限らない。次に本発明の第２実施形態について説明する。図５（ａ）に示すように、カメラボディ４にはカメラボディ側マウント部２３が形成されており、カメラボディ側マウント部２３にはアダプタ１００を装着することができる。
【００４７】
アダプタ１００は、前面にレンズユニット用マウント部１０２を有し、後面にカメラボディ用マウント部１０３を有しており、レンズユニット用マウント部１０２とカメラボディ用マウント部１０３とでは規格が異なっている。カメラボディ用マウント部１０３には例えば３つのバヨネット爪１０４が形成され、レンズユニット用マウント部１０２には後述するレンズ鏡筒ユニット側のバヨネット爪と係合する係合爪１０６が形成されている。レンズユニット用バヨネット爪１０６には第１中継接点部が形成され、カメラボディ用バヨネット爪１０４には第２中継接点部が形成されており、第１、第２中継接点部は例えば回路基板を介して接続されている。図５（ｂ）に示すように、撮影レンズ１１３、ＣＣＤイメージセンサ４０を備えるレンズ鏡筒ユニット１１０の端部にはカメラボディ側マウント部２３と異なる規格の鏡筒側マウント部１１１が設けられ、レンズユニット側マウント部１１１にはレンズユニット用バヨネット爪１０６に係合するバヨネット爪１１２が形成されている。バヨネット爪１１２はレンズユニット用バヨネット爪１０６に係合し、アダプタ１００がデジタルカメラ３に装着されることにより、カメラボディ側マウント部２３とは異なる規格のマウント部を有するレンズ鏡筒ユニット１１０をデジタルカメラ３に装着できる。また、レンズユニット用バヨネット爪１０６がバヨネット爪１１２に係合し、カメラボディ用バヨネット爪１０４がカメラボディ４と係合したとき、第１、第２中継接点部を介してレンズ鏡筒ユニット１１０がデジタルカメラ３に接続される。これにより、カメラボディと異なる規格のマウント部を備えたレンズ鏡筒ユニットの装着が可能となり、レンズ鏡筒ユニットの選択肢を増やすことができる。
【００４８】
なお、上記の第２実施形態では、カメラボディ用バヨネット爪１０４及びレンズユニット用バヨネット爪１０６とに接続端子を形成してレンズ鏡筒ユニット１１０とデジタルカメラ３とを電気的に接続させたが、デジタルカメラとレンズ鏡筒ユニットとの接続方法はこれに限らない。例えば、レンズ鏡筒ユニットとデジタルカメラとをハーネスを介して電気的に接続させてもよい。
【００４９】
次に本発明の第３実施形態について図６（ａ）及び（ｂ）を用いて説明する。デジタルカメラ１５０は、第１撮影レンズ１５３保持した移動筒１５４、移動筒を進退移動自在に保持する固定筒１５６、及び第１撮影レンズ１５３からの被写体光を光電変換する第１イメージセンサ１５５等を有する。移動筒１５４は第１撮影レンズを保持し、この移動筒１５４を第１撮影レンズ１５３の光軸方向に移動自在に保持するための固定筒１５６がカメラボディ１５２に形成されており、移動筒１５４はカメラボディ１５２から繰り出された初期位置とカメラボディ１５２内に後退した退避位置との間で移動可能に設けられている。固定筒１５６の内周には後述するレンズ鏡筒ユニットに設けられた第１係合爪と係合するための３つの第２係合爪（カメラボディ側マウント部）１５８が設けられ、それぞれの第２係合爪１５８は固定筒１５６の内周を等分するように設けられている。移動筒１５４の外周には第２係合爪１５８に合わせて３つのスロット１６０が外周を等分するように光軸方向に延設されており、これにより移動筒１５４は繰出位置と後退位置との間でスムーズに進退移動することができる。
【００５０】
図６（ｂ）に示すように、レンズ鏡筒ユニット１６１は第２撮影レンズ１６３とこの第２撮影レンズ１６３からの被写体光を電気信号に変換する第２イメージセンサ１６４とを備え、後端にはレンズ鏡筒ユニット１６１をデジタルカメラ１５０に着脱自在に装着するためのバヨネット式の第１係合爪１６２が設けられている。デジタルカメラ１５０の第２係合爪１５８は、移動筒１５４が後退位置に移動することによって露呈し、これにより第１係合爪１６２と第２係合爪１５８とが係合可能となる。このように移動筒１５４を後退位置に移動させたときにレンズ鏡筒ユニット１６１を装着するための第２係合爪１５８が出現するようにしたことで、デジタルカメラ１５０の外観が損なわれることはなく、選択的にレンズ鏡筒ユニット１６１を装着することができるデジタルカメラシステムを提供することができる。
【００５１】
なお、上記の第１、第２実施形態ではバヨネットタイプのマウントを例示したが、本発明はこれに限らず、例えば、スクリュータイプのマウントやスピゴットタイプのマウントを用いてもよい。また、カメラボディ側マウント部として雌型コネクタを備え、鏡筒側マウント部として雄型コネクタを備え、雌型コネクタに雄型コネクタを嵌め込むことでレンズ鏡筒ユニットをデジタルカメラに装着してもよい。
【００５２】
また、上記の第１、第２実施形態では、装着解除ボタン２１が押されることにより、化粧リング１５がカメラボディ４から分離したが、化粧リングの着脱方法はこれに限らない。例えば、図７（ａ）に示すように、デジタルカメラ１７０の撮影レンズ１７１の周囲には化粧リング１７５が着脱自在に設けられている。図７（ｂ）に示すように、撮影レンズ１７１の周囲には雄ネジ１７２が形成され、化粧リング１７５には図示しない雌ネジが形成されており、化粧リング１７５が反時計周りに回転されると、デジタルカメラ１７０から取り外される。化粧リング１７５が取り外されると、カメラボディ側マウント部１７７が露呈し、図示しないレンズ鏡筒ユニットを装着できるようになる。このように化粧リングを撮影レンズ１７１の周囲に形成された雄ネジ１７２に螺嵌自在に設けたことにより、化粧リングを着脱させるための機構を省くことができ、デジタルカメラの小型化、低コスト化が期待できる。
【００５３】
また、上記の実施形態では、デジタルカメラとして被写体の静止画像を主に記録するデジタルカメラを例示したが、本発明はこれに限らず、例えば、被写体の動画を主に取得するビデオカメラに適用してもよい。
【図面の簡単な説明】
【００５４】
【図１】デジタルカメラを前方から観察した外観斜視図である。
【図２】化粧リングを外したデジタルカメラとレンズ鏡筒ユニットとから構成されるデジタルカメラシステムの全体図である。
【図３】デジタルカメラシステム全体の電気的な構成を示したブロック図である。
【図４】本発明の第１実施形態についてのフローチャートである。
【図５】アダプタを介してレンズ鏡筒ユニットをデジタルカメラに装着した本発明の第２実施形態について示した外観斜視図である。
【図６】突出位置と収納位置との間で移動自在なレンズ鏡筒が収納位置に移動したときに係合爪が出現するデジタルカメラについて説明する本発明の第３実施形態について示した外観斜視図である。
【図７】化粧リングが撮影レンズの周囲に形成された雄ネジに螺嵌されたデジタルカメラの斜視図である。
【符号の説明】
【００５５】
２  デジタルカメラシステム
３  デジタルカメラ
４  カメラボディ
４ａ  レンズ開口
１２  第１撮影レンズ
１５  化粧リング（カバー部材）
２３  カメラボディ側マウント部
２５  レンズ鏡筒ユニット（レンズユニット）
２９  第２撮影レンズ
３１  鏡筒側マウント部
３１ａ  バヨネット爪
４０  第１ＣＣＤイメージセンサ（第１イメージセンサ）
７５  接続端子（接点部）
８０  第２ＣＣＤイメージセンサ（第２イメージセンサ）
９７  接触端子（接点部）
１００  アダプタ
１０２  レンズユニット用マウント部
１０３  カメラボディ用マウント部
１５４  移動筒
１５６  固定筒
１５８  第２係合爪（カメラボディ側マウント部）
１６０  スロット
１６２  第１係合爪
【図１】
2007295091.tif 000003
【図２】
2007295091.tif 000004
【図３】
2007295091.tif 000005
【図４】
2007295091.tif 000006
【図５】
2007295091.tif 000007
【図６】
2007295091.tif 000008
【図７】
2007295091.tif 000009